【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
画像出力装置に画像情報を供給して画像を形成させる情報処理装置であって、
サンプル画像の形成に関する情報を前記画像出力装置に送信し、該情報に基づいて前記画像出力装置において形成されるサンプル画像の実測濃度値を取得する取得手段と、
取得した実測濃度値に基づいて、画像情報の濃度を補正するための補正規則を作成する作成手段と、
を備えることを特徴とする情報処理装置。
【請求項２】
作成した補正規則に基づいて、画像情報の濃度を補正する補正手段を更に備え、該補正手段により濃度を補正した画像情報を前記画像出力装置に供給することを特徴とする請求項１に記載の情報処理装置。
【請求項３】
前記画像出力装置からのキャリブレーション要求を認識する認識手段を更に備え、前記取得手段は、前記キャリブレーション要求に応答して、前記画像出力装置より前記実測濃度値を取得することを特徴とする請求項１又は請求項２に記載の情報処理装置。
【請求項４】
前記作成手段は、前記画像出力装置の出力濃度特性を補正することができるような補正規則を作成することを特徴とする請求項１乃至請求項３のいずれか１項に記載の情報処理装置。
【請求項５】
情報処理装置と画像出力装置とを接続してなる画像出力システムであって、
前記画像出力装置は、
前記情報処理装置から供給される画像情報に基づいて画像を形成する画像形成手段と、
前記画像形成手段にサンプル画像を形成させる制御手段と、
形成したサンプル画像の濃度を計測する計測手段とを備え、
前記情報処理装置は、
サンプル画像の形成に関する情報を前記画像出力装置に送信し、該情報に基づいて前記画像出力装置において形成されるサンプル画像の実測濃度値を前記画像出力装置から取得する取得手段と、
取得した実測濃度値に基づいて画像情報の濃度を補正するための補正規則を作成する作成手段と、
画像情報を前記画像出力装置に供給する供給手段とを備え、
前記画像出力装置又は前記情報処理装置により、前記補正規則に基づいて画像情報の濃度を補正し、これにより前記画像形成手段の出力濃度特性を適正に補正することを特徴とする画像出力システム。
【請求項６】
前記画像出力装置は、
画像の形成に関する環境の変化を検知する検知手段と、
前記環境の変化量が所定量を超えた場合に前記情報処理装置に対してキャリブレーション要求を発するキャリブレーション要求手段とを更に備え、
前記取得手段は、前記キャリブレーション要求に応答して、前記画像出力装置より前記実測濃度値を取得することを特徴とする請求項５に記載の画像出力システム。
【請求項７】
情報処理装置と通信回線を介して接続する手段を有する画像出力装置であって、
前記情報処理装置から供給される画像情報に基づいて画像を形成する画像形成手段と、
前記情報処理装置から供給されるサンプル画像の形成に関する情報に基づいて、前記画像形成手段にサンプル画像を形成させる制御手段と、
形成したサンプル画像を計測する計測手段と、
前記サンプル画像の計測値を前記情報処理装置に送信する送信手段と、
を備えることを特徴とする画像出力装置。
【請求項８】
画像の形成に関する環境の変化を検知する検知手段と、
前記環境の変化量が所定量を超えた場合に前記情報処理装置に対してキャリブレーション要求を発するキャリブレーション要求手段と、
を更に備えることを特徴とする請求項７に記載の画像出力装置。
【請求項１０】
画像出力装置に画像情報を供給して画像を形成させる情報処理装置の制御方法であって、
サンプル画像の形成に関する情報を前記画像出力装置に送信し、該情報に基づいて前記画像出力装置において形成されるサンプル画像の実測濃度値を取得する取得工程と、
取得した実測濃度値に基づいて、画像情報の濃度を補正するための補正規則を作成する作成工程と、
を含むことを特徴とする制御方法。
【請求項１１】
作成した補正規則に基づいて、画像情報の濃度を補正する補正工程と、
前記補正工程において濃度を補正した画像情報を前記画像出力装置に供給する供給工程と、
を更に含むことを特徴とする請求項１０に記載の制御方法。
【請求項１２】
前記画像出力装置からのキャリブレーション要求を認識する認識工程を更に含み、前記取得工程では、前記キャリブレーション要求に応答して、前記画像出力装置より前記実測濃度値を取得することを特徴とする請求項１０又は請求項１１に記載の制御方法。
【請求項１３】
前記作成工程では、前記画像出力装置の出力濃度特性を補正することができるような補正規則を作成することを特徴とする請求項１０乃至請求項１２のいずれか１項に記載の制御方法。
【請求項１４】
情報処理装置から通信回線を介して供給される画像情報に基づいて画像を形成する画像形成手段を有する画像出力装置の制御方法であって、
前記情報処理装置から供給されるサンプル画像の形成に関する情報に基づいて、前記画像形成手段にサンプル画像を形成させる制御工程と、
形成したサンプル画像を計測する計測工程と、
前記サンプル画像の計測値を前記情報処理装置に送信する送信工程と、
を含むことを特徴とする制御方法。
【請求項１５】
画像の形成に関する環境の変化を検知する検知工程と、
前記環境の変化量が所定量を超えた場合に前記情報処理装置に対してキャリブレーション要求を発するキャリブレーション要求工程と、
を更に含むことを特徴とする請求項１４に記載の制御方法。
【請求項１６】
画像出力装置に画像情報を供給して画像を形成させる情報処理装置を制御するためのプログラムを格納したメモリ媒体であって、
サンプル画像の形成に関する情報を前記画像出力装置に送信し、該情報に基づいて前記画像出力装置において形成されるサンプル画像の実測濃度値を取得する取得工程のコードと、
取得した実測濃度値に基づいて、画像情報の濃度を補正するための補正規則を作成する作成工程のコードと、
を含むことを特徴とするメモリ媒体。
【請求項１７】
情報処理装置から通信回線を介して供給される画像情報に基づいて画像を形成する画像形成手段を有する画像出力装置を制御するためのプログラムを格納したメモリ媒体であって、
画像の形成に関する環境の変化を検知する検知工程のコードと、
前記環境の変化量が所定量を超えた場合に前記情報処理装置に対してキャリブレーション要求を発するキャリブレーション要求工程のコードと、
前記キャリブレーション要求に応答して前記情報処理装置から供給されるサンプル画像の形成に関する情報を受信する工程のコードと、
を含むことを特徴とするメモリ媒体。
【手続補正２】
【補正対象書類名】明細書
【補正対象項目名】０００７
【補正方法】変更
【補正の内容】
【０００７】
【課題を解決するための手段】
本発明に係る情報処理装置は、画像出力装置に画像情報を供給して画像を形成させる情報処理装置であって、サンプル画像の形成に関する情報を前記画像出力装置に送信し、該情報に基づいて前記画像出力装置において形成されるサンプル画像の実測濃度値を取得する取得手段と、取得した実測濃度値に基づいて、画像情報の濃度を補正するための補正規則を作成する作成手段とを備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】変更
【補正の内容】
【００１２】
本発明に係る画像出力システムは  情報処理装置と画像出力装置とを接続してなる画像出力システムであって、前記画像出力装置は、前記情報処理装置から供給される画像情報に基づいて画像を形成する画像形成手段と、前記画像形成手段にサンプル画像を形成させる制御手段と、形成したサンプル画像の濃度を計測する計測手段とを備え、前記情報処理装置は、サンプル画像の形成に関する情報を前記画像出力装置に送信し、該情報に基づいて前記画像出力装置において形成されるサンプル画像の実測濃度値を前記画像出力装置から取得する取得手段と、取得した実測濃度値に基づいて画像情報の濃度を補正するための補正規則を作成する作成手段と画像情報を前記画像出力装置に供給する供給手段とを備え、前記画像出力装置又は前記情報処理装置により、前記補正規則に基づいて画像情報の濃度を補正し、これにより前記画像形成手段の出力濃度特性を適正に補正することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１７
【補正方法】変更
【補正の内容】
【００１７】
本発明に係る情報処理装置の制御方法は、画像出力装置に画像情報を供給して画像を形成させる情報処理装置の制御方法であって、サンプル画像の形成に関する情報を前記画像出力装置に送信し、該情報に基づいて前記画像出力装置において形成されるサンプル画像の実測濃度値を取得する取得工程と、取得した実測濃度値に基づいて、画像情報の濃度を補正するための補正規則を作成する作成工程とを含むことを特徴とする。
【手続補正７】
【補正対象書類名】明細書
【補正対象項目名】００２０
【補正方法】削除
【補正の内容】